(57)【要約】【課題】ドレン水の導水阻害が生じにくい冷凍装置の室外機を提供する。【解決手段】室外機３は、ハウジング１０と、据付脚２０と、室外熱交換器３０と、を備える。室外熱交換器３０は、ハウジング１０の底板１１の上方に配置される。底板１１は、後外縁部１１１ｃと、左後脚固定部１１２ｂと、を有する。後外縁部１１１ｃは、上方に立ち上がっている。左後脚固定部１１２ｂは、後外縁部１１１ｃの近傍において、上方に隆起して構成される。底板１１には、排水口ＥＰ１と、第１導水路Ｐ１と、第２導水路Ｐ２と、が形成される。第１導水路Ｐ１は、排水口ＥＰ１へと導水する。第２導水路Ｐ２は、後外縁部１１１ｃと左後脚固定部１１２ｂとの間に形成される。第２導水路Ｐ２は、第１導水路Ｐ１の高さ以上の高さにおいて左後脚固定部１１２ｂの上面よりも下方に位置し、第１導水路Ｐ１と連通している。【選択図】図５
2014043977.tif 000002
【特許請求の範囲】
【請求項１】
底面に底板（１１）を有するハウジング（１０）と、
前記底板の上方に配置される熱交換器（３０）と、
前記ハウジングを支持する脚部（２０）と、
を備え、
前記底板は、上方に立ち上がっている外縁部（１１１）と、前記脚部を取り付ける脚固定部（１１２）と、を有し、
前記脚固定部は、前記外縁部の近傍において、上方に隆起して構成され、その下面が前記脚部の一部と当接しており、
前記底板には、排水口（ＥＰ１）と、前記排水口へと導水する第１導水路（Ｐ１）と、前記第１導水路へと導水する第２導水路（Ｐ２）とが、前記熱交換器の底面よりも下方に形成され、
前記排水口は、前記脚固定部から離れており、前記外縁部の近傍に位置し、
前記第１導水路は、前記外縁部に沿って前記脚固定部の近傍から前記排水口まで延び、
前記第２導水路は、前記外縁部と前記脚固定部との間に形成され、前記第１導水路の高さ以上の高さにおいて前記脚固定部の上面よりも下方に位置し、前記第１導水路と連通している、
冷凍装置の室外機（３）。
【請求項２】
前記第２導水路が前記第１導水路よりも上方に位置するように、前記第１導水路と前記第２導水路との境界には、段差（Ｈ５）が形成される、
請求項１に記載の冷凍装置の室外機。
【請求項３】
前記第２導水路は、前記脚固定部の上面よりも少なくとも３ｍｍは下方に位置する、
請求項１又は２に記載の冷凍装置の室外機。
【請求項４】
前記第２導水路は、その一部が、平面視において前記熱交換器から外れている、
請求項１から３のいずれかに記載の冷凍装置の室外機。
【請求項５】
前記熱交換器は、Ｌ字状に湾曲する湾曲部（３０ｂ）を有し、平面視においてＬ字状であり、
前記底板は、前記湾曲部を載置する熱交換器載置部（１１３ｂ）を更に有し、
前記熱交換器載置部は、前記脚固定部の近傍において、その上面が前記脚固定部の上面よりも上方に位置するように隆起して構成され、
前記排水口は、前記脚固定部を挟んで前記熱交換器載置部とは反対側に位置し、
前記底板には、前記脚固定部と前記熱交換器載置部との間において、第３導水路（Ｐ３）が、更に形成され、
前記第３導水路は、前記第２導水路の高さ以上の高さにおいて前記脚固定部の上面よりも下方に位置し、前記第２導水路と連通している、
請求項１から４のいずれかに記載の冷凍装置の室外機。
【発明の詳細な説明】
【技術分野】
【０００１】
本発明は、冷凍装置の室外機に関する。
【背景技術】
【０００２】
従来、ハウジングの底板の上面に、排水口及び排水口まで延びる導水路を形成して、ドレン水を排水しやすいように構成した冷凍装置の室外機が知られている。例えば、特許文献１（特開２０１０−５４０６３号公報）に記載の冷凍装置の室外機は、底板の上面に導水路形成壁を設けて、導水路を形成している。
【発明の概要】
【発明が解決しようとする課題】
【０００３】
しかし、従来の冷凍装置の室外機においては、ハウジングを支持する脚の固定部が、導水路内に形成されて、導水路の上方に配置される熱交換器の底面と近接しており、当該箇所において、ドレン水の導水が阻害されることが考えられる。
【０００４】
そこで本発明の課題は、ドレン水の導水阻害が生じにくい冷凍装置の室外機を提供することである。
【課題を解決するための手段】
【０００５】
本発明の第１観点に係る冷凍装置の室外機は、ハウジングと、熱交換器と、脚部と、を備える。ハウジングは底板を有する。熱交換器は、底板の上方に配置される。脚部は、ハウジングを支持する。底板は、外縁部と、脚固定部と、を有する。外縁部は、上方に立ち上がっている。脚固定部には、脚部が取り付けられる。脚固定部は、外縁部の近傍において、上方に隆起して構成される。脚固定部の下面は、脚部の一部と当接している。底板には、排水口と、第１導水路と、第２導水路と、が熱交換器の底面よりも下方に形成される。排水口は、脚固定部から離れており、外縁部の近傍に位置する。第１導水路は、排水口へと導水する。第１導水路は、外縁部に沿って脚固定部の近傍から排水口まで延びる。第２導水路は、外縁部と脚固定部との間に形成される。第２導水路は、第１導水路の高さ以上の高さにおいて脚固定部の上面よりも下方に位置する。第２導水路は、第１導水路と連通している。ここで、導水路の高さとは、導水路の底面の高さのことである。
【０００６】
本発明の第１観点に係る冷凍装置の室外機では、外縁部と脚固定部との間に、脚固定部の上面よりも下方に位置する第２導水路が形成される。これにより、外縁部と脚固定部との間において、底板の上面と熱交換器の底面との間隔を大きくでき、ドレン水が第１導水路へと流れやすくなる。したがって、ドレン水の導水阻害が生じにくくなる。
【０００７】
本発明の第２観点に係る冷凍装置の室外機は、第１観点に係る冷凍装置の室外機であって、第１導水路と第２導水路の境界には、段差が形成される。第２導水路は、第１導水路よりも上方に位置する。
【０００８】
本発明の第２観点に係る冷凍装置の室外機では、第２導水路が第１導水路よりも上方に位置するように段差が形成される。これにより、ドレン水が第１導水路へとさらに流れやすくなる。
【０００９】
本発明の第３観点に係る冷凍装置の室外機は、第１観点又は第２観点に係る冷凍装置の室外機であって、第２導水路は、脚固定部の上面よりも少なくとも３ｍｍは下方に位置する。
【００１０】
本発明の第３観点に係る冷凍装置の室外機では、第２導水路は、脚固定部の上面よりも少なくとも３ｍｍは下方に位置する。これにより、第２導水路と熱交換器の底面との間隔を大きくとることができる。したがって、ドレン水が第１導水路へとさらに流れやすくなる。
【００１１】
本発明の第４観点に係る冷凍装置の室外機は、第１観点から第３観点のいずれかに係る冷凍装置の室外機であって、第２導水路は、その一部が、平面視において熱交換器から外れている。
【００１２】
本発明の第４観点に係る冷凍装置の室外機では、第２導水路の一部が、平面視において熱交換器から外れている。これにより、例えばドレン水が凍結しても第２導水路が氷等で塞がりにくくなり、ドレン水が第１導水路へとさらに流れやすくなる。
【００１３】
本発明の第５観点に係る冷凍装置の室外機は、第１観点から第４観点のいずれかに係る冷凍装置の室外機であって、熱交換器は、Ｌ字状に湾曲している湾曲部を有し、平面視においてＬ字状である。底板は、熱交換器載置部を更に有する。熱交換器載置部には、湾曲部が載置される。熱交換器載置部は、脚固定部の近傍において、その上面が脚固定部の上面よりも上方に位置するように隆起して構成される。排水口は、脚固定部を挟んで熱交換器載置部とは反対側に位置する。底板には、第３導水路が更に形成される。第３導水路は、脚固定部と熱交換器載置部との間に形成される。第３導水路は、第２導水路の高さ以上の高さにおいて脚固定部の上面よりも下方に位置する。第３導水路は、第２導水路と連通している。
【００１４】
本発明の第５観点に係る冷凍装置の室外機では、脚固定部と熱交換器載置部との間に第３導水路が形成される。これにより、脚固定部と熱交換器載置部との間において、底板の上面と熱交換器の底面との間隔を大きくできる。したがって、ドレン水が第２導水路を経て第１導水路へとさらに流れやすくなる。
【発明の効果】
【００１５】
本発明の第１観点に係る冷凍装置の室外機では、ドレン水が第１導水路へと流れやすくなり、ドレン水の導水阻害が生じにくくなる。
【００１６】
本発明の第２観点から第５観点に係る冷凍装置の室外機では、ドレン水が第１導水路へとさらに流れやすくなる。
【図面の簡単な説明】
【００１７】
【図１】本発明の一実施形態に係る室外機を使用した空気調和装置の外観図。
【図２】本発明の一実施形態に係る室外機の右側板、背面グリル、前板および天板を取り外した状態の正面斜視図。
【図３】本発明の一実施形態に係る室外機の天板を取り外した状態の概略平面図。
【図４】据付脚を取り付けた状態の底板の平面図。
【図５】図４のＡ部分の拡大図。
【図６】図５を左側面から見た斜視図。
【図７】図５のVII-VII線断面図。
【図８】図４のVIII-VIII線断面図。
【図９】図４のIX-IX線断面図。
【発明を実施するための形態】
【００１８】
以下、図面を参照しながら、本発明の実施形態について説明する。なお、以下の実施形態は、本発明の具体例であって、本発明の技術的範囲を限定するものではない。また、以下の説明において、上、下、左、右、正面（前）、背面（後）といった方向を示す語句を用いているが、これらの方向は、特にことわりのない限り、図２に示す方向を意味する。
【００１９】
（１）空気調和装置１
図１は、空気調和装置１の外観図である。空気調和装置１は、室内機２と、室外機３と、冷媒配管４とから構成されており、冷房運転や暖房運転等を行うことができる。
【００２０】
（１−１）室内機２
室内機２は、室内に設置され、主に室内熱交換器（図示せず）および室内ファン（図示せず）等を収納している。
【００２１】
室内熱交換器は、クロスフィン型熱交換器である。室内熱交換器は、室内の空気と熱交換し、冷房運転時には冷媒の蒸発器として機能し、暖房運転時には冷媒の放熱器として機能する。これにより内部を流れる冷媒を蒸発又は凝縮させて、室内の空気を冷却又は加熱する。室内熱交換器は、後述する室外熱交換器３０と、冷媒配管４を介して接続されている。
【００２２】
室内ファンはクロスフローファンである。室内ファンは、室内熱交換器の下流側に設けられており、モータ（図示せず）で駆動する。この室内ファンが駆動されると、図１に示されている室内機２上部の吸込口２ａから吸い込まれた室内空気が、室内熱交換器を通過して室内機２下部の吹出口２ｂから吹き出される。
【００２３】
（１−２）室外機３
以下、図１から図３を参照して、室外機３の構成について説明する。図２は、室外機３の右側板１３、背面グリル１４、前板１５および天板１６を取り外した状態の正面斜視図である。図３は、室外機３の天板１６を取り外した状態の概略平面図であり、機械室ＳＰ２内の構成については省略している。
【００２４】
室外機３は、室外に設置されている。室外機３の外郭は、ハウジング１０によって構成され、ハウジング１０を４つの据付脚２０が支持している（図１および図３を参照）。ハウジング１０の内部においては、送風機室ＳＰ１と機械室ＳＰ２とが左右に形成されている（図２を参照）。送風機室ＳＰ１は、ハウジング１０の左側に位置し、主に室外熱交換器３０および室外ファン４０等を収容している。機械室ＳＰ２は、ハウジング１０の右側に位置し、圧縮機５０および電装品ユニット６０等を収容している。送風機室ＳＰ１と機械室ＳＰ２とは、仕切板７０によって仕切られている。
【００２５】
（１−２−１）ハウジング１０
ハウジング１０は、板金と樹脂によって形成され、略直方体状の形状を有している。具体的には、底板１１、左側面グリル１２、右側板１３、背面グリル１４、前板１５、および天板１６によりその６面を構成している（図１および図３を参照）。なお、底板１１以外は、適宜取り外しが可能である。
【００２６】
（１−２−１−１）底板１１
底板１１は、ハウジング１０の底面部分を構成する左右に長い略長方形状の板状部材である（図４を参照）。底板１１の外縁部１１１は、前外縁部１１１ａと、左外縁部１１１ｂと、後外縁部１１１ｃと、右外縁部１１１ｄとから構成されており、それぞれは上方向に立ち上がっている（図２を参照）。外縁部１１１には、左側面グリル１２、右側板１３、背面グリル１４および前板１５を固定するための複数のネジ孔ＴＨ１が形成されている（図２を参照）。
【００２７】
底板１１の右よりの上面には、仕切板７０が立設されている（図２および図３を参照）。また、底板１１の上面には、所定の機器を特定の位置において固定する目的や、ハウジング１０内部のドレン水をハウジング１０外部に排出する目的や、底板１１自体の強度をあげる目的等のために、複数の隆起部や孔等が形成されている。底板１１上面の詳細な構成については、後の（１−２−８）において詳述する。
【００２８】
（１−２−１−２）左側面グリル１２、右側板１３
左側面グリル１２および右側板１３は、ハウジング１０の右側面および左側面部分を構成する金属製の部材であり、それぞれ対向するように配設されている（図１から図３を参照）。左側面グリル１２および右側板１３は、左外縁部１１１ｂ又は右外縁部１１１ｄの外面に当接するようにＴＨ１を介して底板１１に螺着されている。左側面グリル１２には、Ｌ方向（図３を参照）から室外の空気を取り込むための吸入口１２１が多数形成されている（図示せず）。左側面グリル１２および右側板１３のそれぞれ背面・正面側の縁には、背面グリル１４および前板１５を取り付けるためのネジ孔ＴＨ２が上下に形成されている（図２を参照）。
【００２９】
（１−２−１−３）背面グリル１４、前板１５
背面グリル１４および前板１５は、ハウジング１０の正面および背面部分を構成する金属製の部材であり、それぞれ対向するように配設されている（図１および図３を参照）。背面グリル１４および前板１５は、底板１１の前外縁部１１１ａ又は後外縁部１１１ｃの外面に当接するように、ＴＨ１を介して底板１１に螺着されている。背面グリル１４には、Ｒ方向（図３を参照）から室外の空気を取り込むための吸入口が大きく形成され（図示せず）、前板１５には、ハウジング１０内の空気を外部に吹き出すための吹出口１５１が形成されている（図１を参照）。
【００３０】
（１−２−１−４）天板１６
天板１６は、底板１１に対向するように配設され、ハウジング１０の天面部分を構成する横長の略長方形状の板状部材である（図１を参照）。天板１６の周縁部１６１は、下向きに延びている。天板１６は、周縁部１６１の内面が左側面グリル１２、右側板１３、背面グリル１４および前板１５に当接するように、周縁部１６１に形成されたネジ孔ＴＨ３を介して、それぞれに固定されている。
【００３１】
（１−２−２）据付脚２０
以下、図１から図７を参照して、据付脚２０について説明する。図４は、据付脚２０を取り付けた状態の底板１１の平面図である。図５は、図４のＡ部分の拡大図である。図６  は、図５を左側面から見た斜視図である。図７は、図５のVII-VII線断面図である。
【００３２】
据付脚２０は、前後に長い板状の部材であり、底板１１の四隅近傍に形成された脚固定部１１２ａ〜ｄ（図４を参照）において４つ取り付けられている。据付脚２０は、その上面の一部が隆起しており、その上面の一部が脚固定部１１２の下面に当接している（図７を参照）。また据付脚２０は、その下面が、室外機３を設置する設置台（図示せず）に接しており、ハウジング１０と設置台との間にスペースを確保する役割を果たしている。なお、脚固定部１１２については、後の（１−２−８−１）において詳述する。
【００３３】
（１−２−３）室外熱交換器３０
室外熱交換器３０は、クロスフィン型熱交換器であって、室外ファン４０によってハウジング１０内に取り込まれる室外の空気との間で熱交換を行い、冷房運転時には冷媒の放熱器として機能し、暖房運転時には冷媒の蒸発器として機能して、内部を流れる冷媒を凝縮又は蒸発させることができる。
【００３４】
室外熱交換器３０は、上面視においてＬ字状の形状を有しており、短手部３０ａと湾曲部３０ｂと長手部３０ｃとからなる（図３を参照）。また、室外熱交換器３０は、ハウジング１０の左側面から背面に沿って配置されるように、底板１１上面に設けられた熱交換器載置部１１３ａ〜ｃ（図４を参照）に載置されている。熱交換器載置部１１３については、後の（１−２−８−２）において詳述する。
【００３５】
（１−２−４）室外ファン４０
室外ファン４０は、送風機室ＳＰ１内の室外熱交換器３０の正面側に配置されている（図２および図３を参照）。室外ファン４０は、プロペラファンであり、ファンモータ４１によって駆動される。室外ファン４０が駆動されると、室外の空気が、Ｒ方向およびＬ方向からハウジング１０内部へと取り込まれ、室外熱交換器３０を通って正面の吹出口１５１（図１を参照）からＦ方向へ吹き出される（図３を参照）。
【００３６】
（１−２−５）圧縮機５０
圧縮機５０は、電動機を内蔵する密閉型圧縮機である。圧縮機５０は、機械室ＳＰ２内に配置され（図２を参照）、冷媒配管４内を流れる冷媒を圧縮している。
【００３７】
（１−２−６）電装品ユニット６０
電装品ユニット６０は、複数の電子部品から構成され、ファンモータ４１や圧縮機５０等の運転を制御している。電装品ユニット６０は、機械室ＳＰ２内において圧縮機５０の上方に配置されている（図２を参照）。
【００３８】
（１−２−７）仕切板７０
仕切板７０は、金属製の板状部材であり、圧縮機５０近傍の位置において、底板１１に対して略垂直に立設されている（図２および図３を参照）。仕切板７０は、ハウジング１０内において送風機室ＳＰ１と機械室ＳＰ２とを左右に形成する隔壁として機能している。また、仕切板７０は、圧縮機５０などの振動によって発生する騒音が送風機室ＳＰ１を抜けて外部に漏れないように、騒音に対する防壁としても機能している。
【００３９】
（１−２−８）底板１１上面の詳細構成
以下、図４から図９を参照して、底板１１上面の詳細な構成について説明する。図８は、図４のVIII-VIII線断面図である。図９は、図４のIX-IX線断面図である。
【００４０】
底板１１の上面には、所定の機器を取り付けるために、脚固定部１１２、熱交換器載置部１１３、ファン固定部１１６、圧縮機固定部１１７などの隆起部が配設されている（図４を参照）。また、ドレン水をハウジング１０外部へと排出するために、第１から第４の導水路Ｐ１〜Ｐ４および排水口ＥＰ１などからなる排水流路が形成されている（図４から図６を参照）。以下、これらについて説明する。なお、導水路については、説明の便宜上、第４導水路Ｐ４から降順に説明する。
【００４１】
（１−２−８−１）脚固定部１１２
脚固定部１１２は、左前脚固定部１１２ａと、左後脚固定部１１２ｂと、右後脚固定部１１２ｃと、右前脚固定部１１２ｄとからなり、それぞれの上面の高さが等しくなるように、底板１１の四隅近傍においてそれぞれ設けられている（図４を参照）。脚固定部１１２において据付脚２０が螺着されており、脚固定部１１２の下面は、据付脚２０の上面に当接している（図７を参照）。
【００４２】
（１−２−８−２）熱交換器載置部１１３
熱交換器載置部１１３は、左前載置部１１３ａと、左後載置部１１３ｂと、右後載置部１１３ｃとからなる（図４を参照）。左前載置部１１３ａ、左後載置部１１３ｂおよび右後載置部１１３ｃのそれぞれの上面の高さは等しく、脚固定部１１２の上面よりも高低差Ｈ１＝３．０ｍｍだけ上方に位置している（図８および図９を参照）。
【００４３】
左前載置部１１３ａは、底板１１の左前隅であって、左段差部１１４の前端において配設されている（図５を参照）。左前載置部１１３ａにおいて短手部３０ａの前端部が載置されており、その上面は、短手部３０ａの底面に当接している。
【００４４】
左後載置部１１３ｂは、底板１１の左後隅であって、左段差部１１４の後端において配設されている（図５を参照）。左後載置部１１３ｂにおいて湾曲部３０ｂが載置されており、その上面は、湾曲部３０ｂの底面に当接している。
【００４５】
右後載置部１１３ｃは、後外縁部１１１ｃに沿って右前脚固定部１１２ｄの左側に隣接して配設されている。右後載置部１１３ｃにおいて長手部３０ｃの右端部近傍部分が載置されており、その上面は、長手部３０ｃの底面に当接している。
【００４６】
なお、左段差部１１４は、底板１１の左辺の前端から後端にかけて延びる隆起部である（図４から図６を参照）。左段差部１１４は、底板１１の強度をあげる目的や、ドレン水を第３および第４の導水路Ｐ３、Ｐ４へと流れやすくする目的のために設けられている。左段差部１１４の上面は、脚固定部１１２の上面と同じ高さとなっており、熱交換器載置部１１３の上面よりも高低差Ｈ１＝３．０ｍｍだけ下方に位置している（図８および図９を参照）。
【００４７】
（１−２−８−３）ファン固定部１１６
ファン固定部１１６は、中央段差部１１５において設けられている隆起部である（図４から図６を参照）。ファン固定部１１６において、ファン保持具４２が取り付けられている。また、ファン固定部１１６の上面は、熱交換器載置部１１３の上面と同じ高さに位置している。
【００４８】
ここで中央段差部１１５は、底板１１の中央部分に広く設けられている隆起部であり、底板１１の強度を上げる目的等のために設けられている。中央段差部１１５の上面は、脚固定部１１２の上面よりも２．０ｍｍだけ下方に位置している。
【００４９】
（１−２−８−４）圧縮機固定部１１７
圧縮機固定部１１７は、機械室ＳＰ２側に設けられた隆起部である（図４を参照）。圧縮機固定部１１７は、載置部１１７ａと、載置部１１７ａの周囲において配設された螺着部１１７ｂ、１１７ｃおよび１１７ｄとからなる。載置部１１７ａの上面には、圧縮機５０が載置されている（図２参照）。また、螺着部１１７ｂ、１１７ｃおよび１１７ｄにおいて、圧縮機５０が螺着されている。なお、載置部１１７ａ、螺着部１１７ｂ、１１７ｃおよび１１７ｄの上面の高さは、等しく、熱交換器載置部１１３の上面と同じ高さに位置している。
【００５０】
（１−２−８−５）第４導水路Ｐ４
第４導水路Ｐ４は、底板１１上面の左端近傍において、左段差部１１４と、左前脚固定部１１２ａと、左後脚固定部１１２ｂと、中央段差部１１５とに囲まれるように形成されている（図４から図６を参照）。第４導水路Ｐ４の底面の高さは、脚固定部１１２の上面の高さよりも３．０ｍｍだけ下方に位置している。また、第４導水路Ｐ４の一部は、平面視において短手部３０ａと重なっているが、第４導水路Ｐ４の底面と短手部３０ａの底面との間には、６．０ｍｍの高低差がある。第４導水路Ｐ４は、左後載置部１１３ｂの近傍であって左後脚固定部１１２ｂと左段差部１１４との間において、第３導水路Ｐ３と連通している。
【００５１】
（１−２−８−６）第３導水路Ｐ３
第３導水路Ｐ３は、左後脚固定部１１２ｂと左段差部１１４とに挟まれるように、後外縁部１１１ｃに対して略垂直に縦長に形成されており（図４から図６を参照）、第３導水路Ｐ３の底面は、左後脚固定部１１２ｂおよび左段差部１１４の上面よりも高低差Ｈ２＝４．０ｍｍだけ低い。また、第３導水路Ｐ３と第４導水路Ｐ４との境界には、１．０ｍｍの段差があり、第３導水路Ｐ３の底面は、第４導水路Ｐ４の底面よりも下方に位置している。また、第３導水路Ｐ３の一部は、平面視において長手部３０ｃと重なっているが、第３導水路Ｐ３の底面と湾曲部３０ｂおよび長手部３０ｃの底面との間には、７．０ｍｍの高低差がある。第３導水路Ｐ３は、その後端において第２導水路Ｐ２と連通している。
【００５２】
（１−２−８−７）第２導水路Ｐ２
第２導水路Ｐ２は、後外縁部１１１ｃと、左後脚固定部１１２ｂとに挟まれるように、横長に形成されており（図４から図６を参照）、その大部分は、平面視において長手部３０ｃから外れている（図５を参照）。第２導水路Ｐ２と第３導水路Ｐ３との境界には、Ｈ３＝３．０ｍｍの段差があり、第２導水路Ｐ２の底面は、第３導水路Ｐ３の底面よりも下方に位置している（図８を参照）。すなわち、第２導水路Ｐ２の底面は、左後脚固定部１１２ｂの上面よりも高低差Ｈ４＝７．０ｍｍだけ下方に位置する（図７を参照）。また、第２導水路Ｐ２の底面と長手部３０ｃの底面との間においては、１０．０ｍｍの高低差がある。第２導水路Ｐ２は、その右端において第１導水路Ｐ１と連通している。
【００５３】
（１−２−８−８）第１導水路Ｐ１
第１導水路Ｐ１は、後外縁部１１１ｃと、中央段差部１１５とに挟まれるように、横長に形成されており、第２導水路Ｐ２との境界から、右後載置部１１３ｃまで右に延びている（図４から図６を参照）。第１導水路Ｐ１は、第２導水路Ｐ２よりも縦に長く、その大部分は平面視において長手部３０ｃと重なっている（図５を参照）。第１導水路Ｐ１と第２導水路Ｐ２との境界には、Ｈ５＝５．０ｍｍの段差があり、第１導水路Ｐ１の底面は、第２導水路Ｐ２の底面よりも下方に位置している。また、第１導水路Ｐ１の底面と長手部３０ｃの底面との間においては、１５．０ｍｍの高低差がある。第１導水路Ｐ１の底面には、排水口ＥＰ１が形成されている。
【００５４】
（１−２−８−９）排水口ＥＰ１
排水口ＥＰ１は、ハウジング１０内部で生じたドレン水を、ハウジング１０外部へ排出するために底板１１に形成された孔であり、第１導水路Ｐ１内に位置している（図４から図６を参照）。
【００５５】
（２）室外機３の排水機能
以下、本実施形態に係る室外機３のドレン水排水機能について説明する。
【００５６】
空気調和装置１を運転すると、ハウジング１０の内部において凝縮水および除霜水等のドレン水が発生し、室外熱交換器３０をつたって底板１１の上面に流れ落ちる。具体的には、左前脚固定部１１２ａ、左後脚固定部１１２ｂ、熱交換器載置部１１３、左段差部１１４および中央段差部１１５に流れ落ちたドレン水は、一定量に達すると、第１から第４の導水路Ｐ１〜Ｐ４のいずれかへと流れ落ちる。次に、導水路へ流れ落ちたドレン水は、一定量に達すると、図５の黒塗り矢印に示すように、第４導水路Ｐ４からは第３導水路Ｐ３へ、第３導水路Ｐ３からは第２導水路Ｐ２へ、第２導水路Ｐ２からは第１導水路Ｐ１へと導水される。そして第１導水路Ｐ１へ流れたドレン水は、一定量に達すると、排水口ＥＰ１を介してハウジング１０外部へと排出される。
【００５７】
（３）特徴
（３−１）
上記実施形態では、第２導水路Ｐ２が、後外縁部１１１ｃと左後脚固定部１１２ｂとの間に形成され、第１導水路Ｐ１と連通している。また、第２導水路Ｐ２は、第１導水路Ｐ１の高さ以上の高さにおいて、左後脚固定部１１２ｂの上面よりも下方に位置している。これにより、後外縁部１１１ｃと左後脚固定部１１２ｂとの間において、底板１１の上面と長手部３０ｃの底面との間隔を大きくとれており、ドレン水が第１導水路Ｐ１へと流れやすくなっている。したがって、ドレン水の導水阻害が生じにくくできている。
【００５８】
（３−２）
上記実施形態では、第１導水路Ｐ１と第２導水路Ｐ２の境界には、段差Ｈ５が形成されており、第２導水路Ｐ２は、第１導水路Ｐ１よりも上方に位置している。これにより、ドレン水が第１導水路Ｐ１へとさらに流れやすくなるようにできている。
【００５９】
（３−３）
上記実施形態では、第２導水路Ｐ２は、左後脚固定部１１２ｂの上面よりも高低差７．０ｍｍだけ下方に位置している。これにより、第２導水路Ｐ２と長手部３０ｃの底面との間隔を大きくとれており、ドレン水が第１導水路Ｐ１へとさらに流れやすくなるようにできている。
【００６０】
（３−４）
上記実施形態では、第２導水路Ｐ２の大部分は、平面視において長手部３０ｃから外れている。これにより、例えばドレン水が凍結等しても第２導水路Ｐ２が氷等で塞がりにくくなっており、ドレン水が第１導水路Ｐ１へとさらに流れやすくなるようにできている。
【００６１】
（３−５）
上記実施形態では、左後脚固定部１１２ｂと左後載置部１１３ｂとの間に第３導水路Ｐ３が形成され、第３導水路Ｐ３は、第２導水路Ｐ２の高さ以上の高さにおいて左後脚固定部１１２ｂの上面よりも下方に位置し、第２導水路Ｐ２と連通している。これにより、左後脚固定部１１２ｂと左後載置部１１３ｂとの間において、底板１１の上面と室外熱交換器３０の底面との間隔を大きくとれており、ドレン水が第２導水路Ｐ２を経て第１導水路Ｐ１へとさらに流れやすくなるようにできている。
【００６２】
（４）変形例
（４−１）変形例１ａ
上記実施形態では、室外機３は、空気調和装置１に適用されたが、これに限定されない。例えば、給湯装置等の他の冷凍装置に適用されるものでもよい。
【００６３】
（４−２）変形例１ｂ
上記実施形態において、底板１１の上面に形成された段差や高低差は、上記数値には限定されず、発明の効果を実現できる範囲であれば異なる数値に形成されてもよい。
【００６４】
（４−３）変形例１ｃ
上記実施形態では、室外熱交換器３０は、平面視においてＬ字状のものが採用されたが、これに限定されない。例えば、平面視において階段状のものでもよい。
【００６５】
（４−４）変形例１ｄ
上記実施形態では、第１から第４の導水路Ｐ１からＰ４の底面は、水平に形成されたが、これに限定されない。例えば、排水口ＥＰ１に近いほど下方に傾斜するように勾配をもたせてもよい。
【００６６】
（４−５）変形例１ｅ
上記実施形態では、底板１１上面において第４導水路Ｐ４が形成されたが、第４導水路Ｐ４は省いてもよい。
【００６７】
（４−６）変形例１ｆ
上記実施形態では、排水口ＥＰ１は１つだけ形成されたが、複数形成されてもよい。
【産業上の利用可能性】
【００６８】
本発明は、冷凍装置の室外機に利用可能である。
【符号の説明】
【００６９】
１            空気調和装置
３            室外機
１１          底板
１１１ｃ      後外縁部
１１２ｂ      左後脚固定部
１１３ｂ      左後載置部
１１４        左段差部
１１５        中央段差部
１１６        ファン固定部
２０          据付脚
３０          室外熱交換器
３０ｂ        湾曲部
３０ｃ        長手部
Ｐ１          第１導水路
Ｐ２          第２導水路
Ｐ３          第３導水路
Ｐ４          第４導水路
ＥＰ１        排水口
【先行技術文献】
【特許文献】
【００７０】
【特許文献１】特開２０１０−５４０６３号公報
【図１】
2014043977.tif 000003
【図２】
2014043977.tif 000004
【図３】
2014043977.tif 000005
【図４】
2014043977.tif 000006
【図５】
2014043977.tif 000007
【図６】
2014043977.tif 000008
【図７】
2014043977.tif 000009
【図８】
2014043977.tif 000010
【図９】
2014043977.tif 000011